(57)【特許請求の範囲】
【請求項１】
一端部に設けた回転軸を中心として遊技盤面と略平行な方向へ進退動作するアーム部材と、該アーム部材の他端部に支持された装飾体と、該装飾体が該遊技盤の端縁に沿った収納位置に停止しているときに該装飾体の前方に位置するように固定配置された化粧板と、を備えた装飾ユニットであって、
前記装飾体が前記収納位置に停止している時に前記化粧板はその背面により前記装飾体の前面を後方へ押圧して一定位置に静止させるように構成されていることを特徴とする装飾ユニット。
【請求項２】
一端部に設けた回転軸を中心として遊技盤面と略平行な方向へ進退動作するアーム部材と、該アーム部材の他端部に支持された装飾体と、該装飾体が該遊技盤の端縁に沿った収納位置に停止しているときに該装飾体の前方に位置するように固定配置された化粧板と、を備えた装飾ユニットであって、
前記装飾体が前記収納位置に停止している時に前記化粧板はその背面により前記装飾体の前面を後方へ押圧して一定位置に静止させるように構成されており、
前記化粧板は、前記装飾体が前記収納位置に存在しない時に該収納位置に形成される空所に遊技球が侵入することを阻止することを特徴とする装飾ユニット。
【請求項３】
請求項１又は２に記載の装飾体ユニットを備えたことを特徴とする遊技盤。
【請求項４】
請求項３に記載の遊技盤を備えたことを特徴とするパチンコ遊技機。
【発明の詳細な説明】
【技術分野】
【０００１】
本発明は、パチンコ遊技機を構成する遊技盤面上において装飾体を盤面と略平行な方向へ開閉、出没動作させることによって遊技進行上特徴的な演出効果を発揮させることができるようにした装飾体ユニット、遊技盤、及びパチンコ遊技機に関する。
【背景技術】
【０００２】
パチンコ遊技機においては、遊技盤の盤面に入賞口、風車、可変表示装置、電飾装置等の各種盤面部品を設けて遊技内容の多様性を図り、遊技の進行中における入賞、その他の状況変化を契機として可動盤面部品を種々の方向に動作させることにより演出効果を高めている。
例えば、遊技盤に設けられた始動入賞口に遊技球が入賞すると、遊技盤中の可変表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、本出願人の提案に係る特許文献１には、遊技盤の盤面と平行な左右方向へ往復移動する第１可動役物と、遊技盤の前後方向へ往復移動する第２可動役物と、を備えた役物装置が開示されている。これによれば、遊技内容の複雑、高度化に対応した演出を実現することができる。
【０００３】
また、特許文献２にも第１の可動部材と第２の可動部材を動作させるための構成が開示されている。
しかし、ギヤ機構を用いて各可動役物を上下、左右に高速で動作させる場合には、可動役物が前後方向に振動し易くなるため、可動役物が遊技盤の前面に位置するガラス板に衝突したり摺接して異音を発生させるという不具合が起きる。このような不具合は、一端に設けた回動軸を中心として盤面と平行な方向へ回動する長尺アームの先端に可動役物を取り付けた構造の盤面部品において発生し易い。これは、長尺アームの一端に設けた回動軸と他端に設けた可動役物との間の距離が長いために長尺アームを高速で回動させる過程での可動役物の動作が安定せず、前後方向に振れが発生し易いことに起因している。
また、長尺アームの他端に設けた可動役物が遊技領域上の退避位置に停止している時における可動役物の前後位置が一定しにくく、ガラス板側に突出して停止していると、外観が悪化するという問題をもたらす。
更に、可動役物を退避位置において停止させる構成とした場合、遊技領域を流下する遊技球が退避位置に飛び込んで滞留し易くなるという問題が起きる。退避位置内に遊技球が滞留すると、可動役物の退避位置への退避動作に障害をもたらす虞がある。特に、可動役物の動作中は退避位置が空所となっているため、この空所内に遊技球が入り易くなり、退避位置に戻って来た可動役物が定位置に停止できなくなることがある。
【特許文献１】特願２００５−２１４１９７公報
【特許文献２】特開２００４−１２９８７５公報
【発明の開示】
【発明が解決しようとする課題】
【０００４】
遊技盤の盤面と平行な方向へ高速往復動作する可動役物が前後方向へ振動して前面にあるガラスと衝突、摺擦し易い場合には、異音が発生して遊技の興趣を低下させる原因となっている。更に、可動役物の停止位置として設けられた空所内に遊技球が侵入して滞留すると、可動役物の正常な動作を妨げる原因となる。
本発明は上記に鑑みてなされたものであり、遊技盤面と略平行な方向へ高速動作する可動役物の前後方向へのぶれを解消すると共に、可動役物が退避位置に停止している際における前後位置を所定に規制することができ、更に退避位置として設けられている空所内に遊技球が侵入することを防止できる装飾体ユニット、遊技盤、及びパチンコ遊技機を提供することを目的としている。
【課題を解決するための手段】
【０００５】
上記目的を達成するため、請求項１の発明に係る装飾ユニットは、一端部に設けた回転軸を中心として遊技盤面と略平行な方向へ進退動作するアーム部材と、該アーム部材の他端部に支持された装飾体と、該装飾体が該遊技盤の端縁に沿った収納位置に停止しているときに該装飾体の前方に位置するように固定配置された化粧板と、を備えた装飾ユニットであって、前記装飾体が前記収納位置に停止している時に前記化粧板はその背面により前記装飾体の前面を後方へ押圧して一定位置に静止させるように構成されていることを特徴とする。
請求項２の発明は、一端部に設けた回転軸を中心として遊技盤面と略平行な方向へ進退動作するアーム部材と、該アーム部材の他端部に支持された装飾体と、該装飾体が該遊技盤の端縁に沿った収納位置に停止しているときに該装飾体の前方に位置するように固定配置された化粧板と、を備えた装飾ユニットであって、前記装飾体が前記収納位置に停止している時に前記化粧板はその背面により前記装飾体の前面を後方へ押圧して一定位置に静止させるように構成されており、前記化粧板は、前記装飾体が前記収納位置に存在しない時に該収納位置に形成される空所に遊技球が侵入することを阻止することを特徴とする。
請求項３の発明に係る遊技盤は、請求項１又は２に記載の装飾体ユニットを備えたことを特徴とする。
請求項４の発明に係るパチンコ遊技機は、請求項３に記載の遊技盤を備えたことを特徴とする。
【発明の効果】
【０００６】
本発明によれば、化粧板によって収納位置にある装飾体の前面を抑えて後方へ退避させているので、収納位置から遊技領域の中央部側に高速で可動盤面部品ユニットが突出する際に装飾体が前後方向へ振動したとしても振幅が小さくなり、ガラス板に接触しにくくなる。また、収納位置に戻った時には装飾体が化粧板と接触して制振されるため、連続して可動盤面部品ユニットが突出動作を繰り返す場合に、その振幅が一旦減殺されるので、ガラス板と接触して異音を発生させることがなくなる。また、可動盤面部品が収納位置に停止している時に化粧板が装飾体前面に圧接してこれを後方へ押圧するので、停止している際における前後位置を所定に規制して見栄えをよくすることができる。更に、化粧板は、遊遊技球が収納位置として設けられている空所内に侵入することを防止できるため、遊技球が空所内に残留することによる可動盤面部品ユニットの停止位置のずれを防止することができる。
【発明を実施するための最良の形態】
【０００７】
以下、本発明を図面に示した実施の形態により詳細に説明する。
図１は本発明の実施の形態に係るパチンコ遊技機の全体正面図であり、図２は遊技盤を斜め上方から見た斜視図、図３（ａ）及び（ｂ）は可動盤面部品ユニットの収納状態における正面図、及び背面図であり、図４（ａ）及び（ｂ）は可動盤面部品ユニットの突出状態における正面図、及び背面図である。
パチンコ遊技機１は、矩形形状の枠２を有し、この枠２の窓孔に対して裏側から遊技盤３が着脱可能に取り付けられている。
遊技盤３には、遊技領域の外周縁に沿って前方に突出されたガイドレールが設けられている。ガイドレールは発射装置から発射された遊技球を遊技領域の上部に案内したり、アウト球を回収するアウト口１８に案内したりする外レールＲ１及び内レールＲ２により構成される。
遊技盤３の前面側には、図示しないガラス枠が開閉可能に取り付けられている。また遊技盤３の下部には遊技球を貯留する受け皿部４と、受け皿部４内の遊技球を発射する発射レバー５等が設けられている。また、受け皿部４の上部には、例えば遊技演出用のチャンスボタンや十字キーなどの操作部６や、遊技球の購入ボタンや購入取り消しボタンなどが設けられている。
遊技盤３の略中央には、図柄表示装置９が配置されている。図柄表示装置９は、例えば、液晶表示装置等の液晶表示パネルによって構成され、通常動作状態の時は図示しない特別図柄画像が表示される。また、所謂リーチ状態や特別遊技状態の時はそれぞれの遊技状態であることを示す演出画像等が表示される。
【０００８】
図柄表示装置９の下方には、図柄表示装置９の特別図柄を可変表示させるための可変入賞装置１１が設けられている。
また、図柄表示装置９の左側には、遊技盤３の右下部に配置された普通図柄表示装置１０に表示される普通図柄を作動させるためのゲート１２が設けられている。
さらに、可変入賞装置１１の下方には、特別遊技状態の一つである大当り状態のときに開成状態になる開閉扉を有する大入賞口１３が設けられている。
可変入賞装置１１は、図柄表示装置９を可変表示させるための上始動ポケット１４と、左右一対の開閉爪（可動片）を有する電動式チューリップ１７とを備えている。
また遊技盤３には、普通入賞口１６が設けられていると共に、風車１５や多数の遊技釘が突設されている。遊技釘は、遊技球の落下速度を遅くすると共に、落下方向を複雑に変化させて遊技進行上の興趣を高めている。
【０００９】
普通図柄表示装置１０に表示される普通図柄は、１個または複数個の図柄を変動表示可能であり、普通図柄始動口としてのゲート１２が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１２を遊技球が通過したことを条件に乱数制御により普通図柄が所定態様となった場合に、可変入賞装置１１に設けられた電動式チューリップから成る可動片を所定時間、開成動作するように構成されている。
図柄表示装置９に表示される特別図柄は、停止図柄が予め定められた図柄の組合せ、例えば同一図柄の組合せとなった場合に大当り状態となるように構成されている。また特別図柄は、可変入賞装置１１の上始動ポケット１４、又は電動式チューリップの開成動作により遊技球が誘導される下始動口（図示していない）への遊技球の入賞を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当り状態が発生する。なお、特別図柄としては、数字図柄、アルファベット図柄、キャラクター図柄等が使用可能である。
【００１０】
図柄表示装置９の上方、及び右側方には多数の雪結晶を象った可動盤面部品が配置されているが、右側方に位置する可動盤面部品２０は、上端部を軸支されることによって左右方向へ揺動するアーム部材２１と、アーム部材２１の前面に上下方向に沿って複数配列された星形のギミック２２と、から構成されている。更に、この可動盤面部品２０と、可動盤面部品２０を駆動する駆動機構３０と、可動盤面部品及び駆動機構の背面側に固定配置された図示しないＬＥＤとは、可動盤面部品ユニット２５を構成している。
可動盤面部品２０は、遊技盤面、或いは遊技盤に形成した開口内に配置されて所定の軌跡に沿って動作する。アーム部材２１の上端部に設けた軸部２１ａは遊技盤、或いはその他の支持部材によって軸支されており、アーム部材２１は全体として図１、図３に示した収納位置（停止位置）と、図４に示した突出位置との間を揺動することができる。アーム部材２１の背面にはＬＥＤを搭載したプリント基板が組み付けられており、透明材料から構成されたギミック２２を背面から照光する。
【００１１】
駆動機構３０は、可動盤面部品２０の駆動源としてのモータ３１と、モータ３１の出力ギヤ３２と噛合するギヤ部を有した扇形ギヤ３３と、扇形ギヤ３３の一部から一体的に突出したリンク片３４と、アーム部材２１の下部適所から背面側に突設されてリンク片３４に設けた長穴３４ａ内に遊嵌するピン３５と、を有する。モータ３１の出力ギヤ３２が正逆回転することによりこれと噛合する扇形ギヤ３３も軸３３ａを中心として正逆回動し、その過程で扇形ギヤ３３と一体のリンク片３４も図３の状態から図４の状態に動作する。
リンク片３４が往復動作する過程で長穴３４ａ内をピン３５が往復動作しながらリンク片からの駆動力がアーム部材２１に伝達されてアーム部材２１を図３の収納状態から図４の突出状態へ移行させる。
可動盤面部品ユニット２５が図１、図３に示した収納位置（停止位置）にあるときに、可動盤面部品ユニット２５の一部、この例では最下部に位置する大径星形のギミック（装飾体）２２ａの前方に位置するように化粧板４０が固定配置されている（図２）。化粧板４０の前面には遊技内容に関連した絵図、文字等々任意の画像が表示されると共に、化粧板４０の背面側にはギミック２２ａを収容するための空所４１ａが形成される。
化粧板４０は、所定の強度と弾性を有した樹脂板であり、ギミック２２ａが収納位置にある時にその背面によりギミックの前面に圧接してこれを後方へ弾性的に押圧して一定位置に静止させるように、その下縁部を遊技盤側によって固定されて立設されている。
化粧板４０が存在しない場合には収納位置においてギミック２２ａが前方へ突出した状態にあるために、このまま可動盤面部品ユニット２５が遊技領域側に高速で突出すると、ギミックの前後方向への振幅によって前面のガラス板に衝突し易くなり、異音が発生する。
【００１２】
これに対して、本発明では化粧板４０によって収納位置にあるギミック２２ａの前面を抑えて後方へ退避させ、且つ静止させているので、収納位置から遊技領域の中央部側に高速で可動盤面部品ユニット２５が突出する際に長尺なアーム部材２１先端のギミック２２ａが前後方向へ振動したとしても振幅が小さくなり、ガラス板に接触しにくくなる。
また、収納位置に戻った時にはギミック２２ａが化粧板４０と接触して制振されるため、連続して可動盤面部品ユニット２５が突出動作を繰り返す場合に、その振幅が一旦減殺されてガラス板と接触して異音を発生させることがなくなる。
また、可動盤面部品が収納位置に停止している時に化粧板４０がギミック２２ａ前面に圧接してこれを後方へ押圧するので、停止している際におけるギミックの前後位置を所定に規制して見栄えをよくすることができる。更に、化粧板４０は、空所４１ａの前方を覆っているので、遊技領域において遊技釘等に当たって跳ねた遊技球がギミック収納位置として設けられている空所４１ａ内に侵入することを防止できる。このため、遊技球が空所４１ａ内に残留することによる可動盤面部品ユニット２５の停止位置のずれを防止することができる。
【図面の簡単な説明】
【００１３】
【図１】本発明の実施の形態に係るパチンコ遊技機の全体正面図である。
【図２】遊技球誘導装置を斜め上方から見た斜視図である。
【図３】（ａ）及び（ｂ）は可動盤面部品ユニットの収納状態における正面図、及び背面図である。
【図４】（ａ）及び（ｂ）は可動盤面部品ユニットの突出状態における正面図、及び背面図である。
【符号の説明】
【００１４】
１…パチンコ遊技機、２…枠、３…遊技盤、４…皿部、５…発射レバー、６…操作部、１０…普通図柄表示装置、１１…可変入賞装置、１２…ゲート、１３…大入賞口、１４…上始動ポケット、１５…風車、１６…普通入賞口、１７…電動式チューリップ、１８…アウト口、２０…可動盤面部品、２１…アーム部材、２１ａ…軸部、２２…ギミック、２２ａ…ギミック（装飾体）、２５…可動盤面部品ユニット、３０…駆動機構、３１…モータ、３２…出力ギヤ、３３…扇形ギヤ、３３ａ…軸、３４…リンク片、３４ａ…長穴、３５…ピン、４０…化粧板、４１ａ…空所
【図１】
0004654254.tif 000002
【図２】
0004654254.tif 000003
【図３】
0004654254.tif 000004
【図４】
0004654254.tif 000005